(57)【要約】      （修正有）【課題】マルチメディアコンテンツ移動方法及びそのシステムを提供する。【解決手段】マルチメディアコンテンツ移動方法は、メディアデータを伝送するメディアサーバ、メディアデータを実行するデバイス、デバイスを制御するコントローラを備える。コントローラを利用して第１デバイスにコピー命令を伝送し、第１デバイスはメディアサーバにコピー命令を伝送する段階と、メディアサーバは、第１デバイスにメディアデータの実行中断命令を伝送し、現在実行位置を格納する段階と、コントローラは、第２デバイスに実行中断以後からの実行を指示する貼り付け命令を伝送し、第２デバイスはメディアサーバに貼り付け命令を伝送する段階と、メディアサーバはメディアデータを第２デバイスに伝送する段階とを含む。ユーザはデバイスの使用中に位置を移動する場合に、コントローラの操作だけで利用中のコンテンツを他のデバイスを通して引き続き利用することができる。【選択図】図１
2006228217.tif 000002
【特許請求の範囲】
【請求項１】
メディアデータを伝送するメディアサーバ、前記メディアデータを実行する少なくとも１つのマルチメディアデバイス、前記マルチメディアデバイスを制御する少なくとも１つのコントローラを備えるマルチメディアシステム上のコンテンツ移動方法であって、
前記コントローラを利用して第１マルチメディアデバイスにコピー命令を伝送し、前記第１マルチメディアデバイスは前記メディアサーバに前記コピー命令を伝送する段階と、
前記メディアサーバは、前記第１マルチメディアデバイスに前記メディアデータの実行中断命令を伝送し、現在実行位置を格納する段階と、
前記コントローラは、第２マルチメディアデバイスに前記実行中断以後からの実行を指示する貼り付け命令を伝送し、前記第２マルチメディアデバイスは前記メディアサーバに前記貼り付け命令を伝送する段階と、
前記メディアサーバは前記メディアデータを前記第２マルチメディアデバイスに伝送する段階と、を含むことを特徴とするマルチメディアコンテンツ移動方法。
【請求項２】
前記第１マルチメディアデバイスは、前記メディアサーバに前記コピー命令を伝送した後、前記メディアサーバに前記第１マルチメディアデバイスの識別記号を伝送することを特徴とする請求項１に記載のマルチメディアコンテンツ移動方法。
【請求項３】
前記マルチメディアシステム上の前記第２マルチメディアデバイスは、前記メディアサーバに前記貼り付け命令を伝送した後、前記第２マルチメディアデバイスの識別記号を前記メディアサーバに伝送することを特徴とする請求項１に記載のマルチメディアコンテンツ移動方法。
【請求項４】
前記第１マルチメディアデバイスが前記実行中断命令により実行を中断した後、前記メディアサーバは前記第１マルチメディアデバイスの実行中断状態を確認し、前記第１マルチメディアデバイスの状態情報を更新する段階をさらに含むことを特徴とする請求項１に記載のマルチメディアコンテンツ移動方法。
【請求項５】
前記メディアサーバは、前記メディアデータを前記第２マルチメディアデバイスで実行可能な形態に変換する段階をさらに含むことを特徴とする請求項１に記載のマルチメディアコンテンツ移動方法。
【請求項６】
前記実行可能な形態に変換する段階は、
前記第２マルチメディアデバイスに適した形態にメディアタイプ変換を行う段階と、
前記第２マルチメディアデバイスに適した形態にフォーマット変換を行う段階と、
前記第２マルチメディアデバイスに適した形態に解像度変換を行う段階と、を含むことを特徴とする請求項５に記載のマルチメディアコンテンツ移動方法。
【請求項７】
前記メディアサーバに前記コピー命令を伝送する段階は、前記コントローラが前記メディアサーバから前記コピー命令の処理を確認した後、コピー完了状態であることを前記コントローラに表示する段階をさらに含むことを特徴とする請求項１に記載のマルチメディアコンテンツ移動方法。
【請求項８】
前記メディアサーバに前記貼り付け命令を伝送する段階は、前記コントローラが前記メディアサーバから前記貼り付け命令の処理を確認した後、貼り付け完了状態であることを前記コントローラに表示する段階をさらに含むことを特徴とする請求項１に記載のマルチメディアコンテンツ移動方法。
【請求項９】
前記コントローラは２つ以上でそれぞれのコントローラ毎に認識記号が付与され、前記メディアサーバは前記コントローラから送られた命令及びそれによる処理を前記認識記号によって別途に管理することを特徴とする請求項１に記載のマルチメディアコンテンツ移動方法。
【請求項１０】
前記メディアサーバに前記コピー命令を伝送する段階は、
前記第１マルチメディアデバイスに取り付けられた検知手段を通してユーザの不在を確認する段階と、
前記第１マルチメディアデバイスに取り付けられた検知手段は、前記コントローラにコピー命令の伝送を指示する段階と、をさらに含むことを特徴とする請求項１に記載のマルチメディアコンテンツ移動方法。
【請求項１１】
前記メディアサーバに前記貼り付け命令を伝送する段階は、
前記第２マルチメディアデバイスに取り付けられた検知手段を通してユーザの存在を確認する段階と、
前記第２マルチメディアデバイスに取り付けられた検知手段は、前記コントローラに前記貼り付け命令の伝送を指示する段階と、をさらに含むことを特徴とする請求項１に記載のマルチメディアコンテンツ移動方法。
【請求項１２】
前記コントローラ以外の第２コントローラから前記少なくとも１つのマルチメディアデバイスのいずれかにもう１つのコピー命令を伝送する段階をさらに含むことを特徴とする請求項１に記載のマルチメディアコンテンツ移動方法。
【請求項１３】
マルチメディアコンテンツを伝送するメディアサーバと、
前記マルチメディアコンテンツを実行する少なくとも１つのマルチメディアデバイスと、
前記マルチメディアデバイスを制御する少なくとも１つのコントローラと、を含み、
前記コントローラは前記マルチメディアデバイスにコピー命令及び貼り付け命令を伝送し、
第１マルチメディアデバイスは、前記コントローラから前記コピー命令を受信した後、前記メディアサーバに前記コピー命令を伝送し、前記メディアサーバから実行中断命令が伝送された後実行を中断し、
第２マルチメディアデバイスは前記コントローラから前記貼り付け命令を受信した後、前記メディアサーバに貼り付け命令を伝送し、前記メディアサーバからメディアデータが伝送された後前記伝送されたメディアデータを実行し、
前記メディアサーバは前記第１マルチメディアデバイスに実行中断命令を伝送し、前記第２マルチメディアデバイスにメディアデータを伝送することを特徴とするマルチメディアコンテンツ移動システム。
【請求項１４】
前記コントローラは、コピー完了状態及び貼り付け完了状態のうちいずれかであることを表す表示部をさらに含むことを特徴とする請求項１３に記載のマルチメディアコンテンツ移動システム。
【請求項１５】
前記コントローラは、２つ以上であることを特徴とする請求項１３に記載のマルチメディアコンテンツ移動システム。
【請求項１６】
前記メディアサーバは、前記コントローラ内部に設けられることを特徴とする請求項１３に記載のマルチメディアコンテンツ移動システム。
【請求項１７】
前記第１マルチメディアデバイスは、ユーザの不在を確認し、前記コントローラに前記コピー命令の伝送を指示する検知手段をさらに備えることを特徴とする請求項１３に記載のマルチメディアコンテンツ移動システム。
【請求項１８】
前記第２マルチメディアデバイスは、ユーザの存在を確認し、前記コントローラに前記貼り付け命令の伝送を指示する検知手段をさらに備えることを特徴とする請求項１３に記載のマルチメディアコンテンツ移動システム。
【請求項１９】
前記少なくとも１つのマルチメディアデバイスのいずれかにコピー命令を伝送する第２コントローラをさらに含むことを特徴とする請求項１３に記載のマルチメディアコンテンツ移動システム。
【発明の詳細な説明】
【技術分野】
【０００１】
本発明は、マルチメディアコンテンツ移動方法及びそのシステムに係り、特に、携帯型コントローラを利用して実行中のマルチメディアコンテンツを１つのマルチメディアデバイスからコピーして他のマルチメディアデバイスに移動するマルチメディアコンテンツ移動方法及びそのシステムに関する。
【背景技術】
【０００２】
ＩＴ技術の急速な発達と超高速インターネット網の普及につれ、今まで企業や公共機関の事務室を中心に構築されてきたネットワーク環境が家庭内のデジタル電子機器に拡散されると共に、ホームネットワーク産業と関連機器に対する関心が高まっている。通常、このようなホームネットワークシステムでは、多数のマルチメディアデバイスが用いられ、マルチメディアデバイス毎に異なるメディアタイプ、フォーマット、及び解像度を有する。したがって、それぞれのマルチメディアデバイスはマルチメディアコンテンツまたはメディアデータ（メディアソース）を共有できない問題がある。このようなホームネットワークシステムの下で、もし、ユーザが場所を移動するに従って特定のコンテンツを、移動した場所に設置されているマルチメディアデバイスを介して実行する時、再びこれに適したマルチメディアコンテンツを直接実行しなければならない手間がかかる。
【発明の開示】
【発明が解決しようとする課題】
【０００３】
本発明は前述した問題点を解決するために案出されたもので、本発明の目的は、携帯型コントローラを利用して実行中のマルチメディアコンテンツを１つのマルチメディアデバイスからコピーして他のマルチメディアデバイスに移動するマルチメディアコンテンツ移動方法及びそのシステムを提供することにある。
【課題を解決するための手段】
【０００４】
前記目的を達成するための本発明に係るマルチメディアコンテンツ移動方法は、メディアデータを伝送するメディアサーバ、前記メディアデータを実行する少なくとも１つのマルチメディアデバイス、前記マルチメディアデバイスを制御する少なくとも１つのコントローラを備えるマルチメディアシステム上のコンテンツ移動方法であって、前記コントローラを利用して第１マルチメディアデバイスにコピー命令を伝送し、前記第１マルチメディアデバイスは前記メディアサーバに前記コピー命令を伝送する段階と、前記メディアサーバは、前記第１マルチメディアデバイスに前記メディアデータの実行中断命令を伝送し、現在実行位置を格納する段階と、前記コントローラは、第２マルチメディアデバイスに前記実行中断以後からの実行を指示する貼り付け命令を伝送し、前記第２マルチメディアデバイスは前記メディアサーバに前記貼り付け命令を伝送する段階と、前記メディアサーバは前記メディアデータを前記第２マルチメディアデバイスに伝送する段階とを含むことを特徴とする。
【０００５】
好ましくは、前記第１マルチメディアデバイスは、前記メディアサーバに前記コピー命令を伝送した後、前記メディアサーバに前記第１マルチメディアデバイスの識別記号を伝送することを特徴とする。
【０００６】
また、前記マルチメディアシステム上の前記第２マルチメディアデバイスは、前記メディアサーバに前記貼り付け命令を伝送した後、前記第２マルチメディアデバイスの識別記号を前記メディアサーバに伝送することを特徴とする。
【０００７】
また、前記第１マルチメディアデバイスが前記実行中断命令により実行を中断した後、前記メディアサーバは前記第１マルチメディアデバイスの実行中断状態を確認し、前記第１マルチメディアデバイスの状態情報を更新する段階をさらに含む。
【０００８】
また、前記メディアサーバは、前記メディアデータを前記第２マルチメディアデバイスで実行可能な形態に変換する段階をさらに含む。
【０００９】
また、前記実行可能な形態に変換する段階は、前記第２マルチメディアデバイスに適した形態にメディアタイプ変換を行う段階と、前記第２マルチメディアデバイスに適した形態にフォーマット変換を行う段階と、前記第２マルチメディアデバイスに適した形態に解像度変換を行う段階とを含む。
【００１０】
また、前記メディアサーバに前記コピー命令を伝送する段階は、前記コントローラが前記メディアサーバから前記コピー命令の処理を確認した後、コピー完了状態であることを前記コントローラに表示する段階をさらに含む。
【００１１】
また、前記メディアサーバに前記貼り付け命令を伝送する段階は、前記コントローラが前記メディアサーバから前記貼り付け命令の処理を確認した後、貼り付け完了状態であることを前記コントローラに表示する段階をさらに含む。
【００１２】
また、前記コントローラは２つ以上でそれぞれのコントローラ毎に認識記号が付与され、前記メディアサーバは前記コントローラから送られた命令及びそれによる処理を前記認識記号によって別途に管理することを特徴とする。
【００１３】
また、前記メディアサーバに前記コピー命令を伝送する段階は、前記第１マルチメディアデバイスに取り付けられた検知手段を通してユーザの不在を確認する段階と、前記第１マルチメディアデバイスに取り付けられた検知手段は、前記コントローラにコピー命令の伝送を指示する段階とをさらに含む。
【００１４】
また、前記メディアサーバに前記貼り付け命令を伝送する段階は、前記第２マルチメディアデバイスに取り付けられた検知手段を通してユーザの存在を確認する段階と、前記第２マルチメディアデバイスに取り付けられた検知手段は、前記コントローラに前記貼り付け命令の伝送を指示する段階とをさらに含む。
【００１５】
また、前記コントローラ以外の第２コントローラから前記少なくとも１つのマルチメディアデバイスのいずれかにもう１つのコピー命令を伝送する段階をさらに含む。
【００１６】
前記目的を達成するための本発明に係るマルチメディアコンテンツ移動システムは、マルチメディアコンテンツを伝送するメディアサーバと、前記マルチメディアコンテンツを実行する少なくとも１つのマルチメディアデバイスと、前記マルチメディアデバイスを制御する少なくとも１つのコントローラとを含み、前記コントローラは前記マルチメディアデバイスにコピー命令及び貼り付け命令を伝送し、第１マルチメディアデバイスは、前記コントローラから前記コピー命令を受信した後、前記メディアサーバに前記コピー命令を伝送し、前記メディアサーバから実行中断命令が伝送された後実行を中断し、第２マルチメディアデバイスは前記コントローラから前記貼り付け命令を受信した後、前記メディアサーバに貼り付け命令を伝送し、前記メディアサーバからメディアデータが伝送された後前記伝送されたメディアデータを実行し、前記メディアサーバは前記第１マルチメディアデバイスに実行中断命令を伝送し、前記第２マルチメディアデバイスにメディアデータを伝送する。
【００１７】
また、前記コントローラは、コピー完了状態及び貼り付け完了状態のうちいずれかであることを表す表示部をさらに含む。
【００１８】
また、前記コントローラは２つ以上である。
【００１９】
また、前記メディアサーバは、前記コントローラ内部に設けられる。
【００２０】
また、前記第１マルチメディアデバイスは、ユーザの不在を確認し、前記コントローラに前記コピー命令の伝送を指示する検知手段をさらに備える。
【００２１】
また、前記第２マルチメディアデバイスは、ユーザの存在を確認し、前記コントローラに前記貼り付け命令の伝送を指示する検知手段をさらに備える。
【００２２】
また、前記少なくとも１つのマルチメディアデバイスのいずれかにコピー命令を伝送する第２コントローラをさらに含む。
【発明の効果】
【００２３】
本発明によると、ユーザはマルチメディアデバイスの使用中に位置を移動する場合において、簡単なコントローラの操作だけで使用中であったマルチメディアコンテンツをホームネットワークシステム内における所望のマルチメディアデバイスで引き続き使用することができる。また、多数のコントローラによるマルチメディアシステムの独立制御が可能となることにより、多数のユーザが独立的にマルチメディアコンテンツを移動することができる。伴い、マルチメディアデバイスのユーザは、コントローラを介して別途の操作を行うことなく、マルチメディアの設置空間内を移動する場合に移動位置に従うマルチメディアデバイスが連続して作動する。
【発明を実施するための最良の形態】
【００２４】
以下、添付した図面に基づいて本発明の好適な実施形態について詳細に説明する。
（実施形態）
図１は、本発明に係るマルチメディアシステムの構成を示す図である。同図に示すように、本発明に係るマルチメディアシステム１００は複数のマルチメディアデバイス１２０、１３０、メディアサーバ１４０、コントローラ１１０ａ．．．１１０ｎを含む。
【００２５】
図２は、本発明に係るマルチメディアシステム１００の各構成上の機能部を示す図である。同図に示すように、マルチメディアデバイスは有無線送受信部１２５、機器制御部１３０、メディア情報抽出部１３５を含み、メディアサーバは有無線送受信部１４１、ホーム家電制御部１４３、メディアデータ変換部１４５、メディア情報変換部１４７、マルチメディアデバイス識別記号格納部１４９を含む。一方、コントローラは無線送受信部１１１、格納装置部１１３、ボタン装置部１１５、状態表示部１１７、サウンド出力部１１８、バッテリ電源部１１９を含む。
【００２６】
一方、メディアサーバのホームデバイス情報格納部には次のような情報が格納される。まず、デバイスの機能情報としては、デバイス識別記号、連結手段（ＷＬＡＮ、ＲＧＢ、．．．）、オーディオ適用可否、ビデオ適用可否、イメージ適用可否、フォーマット（ＭＰＥＧ２、ＭＰ３、ＷＡＶ、．．．）、解像度（１０００×７６８、６４ｋｂｐｓ、．．．）などがある。デバイスの状態情報としては、デバイス識別記号、状態（電源入力可否、実行、停止、一時停止、．．．）、メディアデータなどがある。メディア情報としては、メディア識別記号とメディアタイプ（オーディオ、ビデオ、イメージ）、フォーマット（ＭＰＥＧ２、ＭＰ３、ＷＡＶ、．．．）などがある。これらは、マルチメディアデバイスに適したメディアデータを伝送するのに必要な情報である。
【００２７】
図３は、本発明に係るマルチメディアコンテンツ移動システムの動作方法を説明するためのメッセージシーケンスチャートである。
【００２８】
以下、図３に基づいて本発明に係るマルチメディアコンテンツ移動システムを説明する。メディアサーバ１４０は、第１マルチメディアデバイス１２０にメディアデータを伝送し（Ｓ２００）、第１マルチメディアデバイス１２０はメディアサーバ１４０から伝送されたメディアデータを実行する。コントローラ１１０ａ、１１０ｂ、１１０ｃ．．．１１０ｎは赤外線、レーザ、超音波などを利用して、第１マルチメディアデバイス１２０にコピー命令を伝送する（Ｓ２０５）。
【００２９】
第１マルチメディアデバイス１２０は、前記のコピー命令を受信した後（Ｓ２１０）、受信したコピー命令と自身のデバイス識別記号をメディアサーバ１４０に伝送する（Ｓ２１５）。前記のコピー命令とデバイス識別記号を受信したメディアサーバ１４０はコピー命令を解釈してから、第１マルチメディアデバイス１２０へのメディアデータ伝送を中断し現在実行位置を格納した後、第１マルチメディアデバイス１２０の状態情報を実行状態から停止状態に更新する（Ｓ２２０）。
【００３０】
メディアサーバ１４０は、第１マルチメディアデバイス１２０に実行中断命令を伝送し（Ｓ２４０）、第１マルチメディアデバイス１２０は前記の実行中断命令を受信した後メディアデータの実行を中断する（Ｓ２４５）。メディアサーバ１４０は、第１マルチメディアデバイス１２０の実行中断を確認し（Ｓ２５５）、コントローラ１１０ａはメディアサーバ１４０のコピー命令処理状態を確認した後（Ｓ２６０）、コピーされた状態であることをメディアサーバ１４０に表示する（Ｓ２６５）。
【００３１】
以後、コントローラ１１０ａが第２マルチメディアデバイス１３０に貼り付け命令を伝送すれば（Ｓ２７０）、第２マルチメディアデバイス１３０は前記の貼り付け命令を受信した後（Ｓ２７５）、メディアサーバ１４０に前記の貼り付け命令及び第２マルチメディアデバイス１３０のデバイス識別記号を伝送する（Ｓ２８０）。メディアサーバ１４０は受信した第２マルチメディアデバイス１３０のデバイス識別記号を通して前記の第２マルチメディアデバイスの実行可能可否確認及びメディアデータ変換過程を経る（Ｓ２８５）。
【００３２】
図４は、本発明に係るマルチメディアコンテンツ移動システムにおけるデバイス実行可能可否確認及びメディアデータ変換過程を示すフローチャートである。まず、メディアサーバ１４０は第２マルチメディアデバイス１３０の状態確認を通して第２マルチメディアデバイス１３０への電源入力可否を確認し（Ｓ３１０）、電源入力状態でない場合は第２マルチメディアデバイス１３０に電源入力命令を行う（Ｓ３２０）。以後、第２マルチメディアデバイス１３０が電源入力状態になると、メディアサーバ１４０は第１マルチメディアデバイス１２０に伝送したメディアデータタイプと第２マルチメディアデバイス１３０のメディアタイプとが一致するかどうかを確認する（Ｓ３３０）。
【００３３】
メディアタイプが一致しない場合、必要なメディアタイプ変換の種類を確認する（Ｓ３４０）。ここで、もし、第１マルチメディアデバイス１２０に伝送したメディアデータタイプがオーディオタイプであり、第２マルチメディアデバイス１３０のメディアタイプがビデオタイプであれば、データ変換過程を経て代替画像を生成する（Ｓ３５０）。
【００３４】
もし、第１マルチメディアデバイス１２０に伝送したメディアデータのタイプがビデオタイプであり、第２マルチメディアデバイス１３０のメディアタイプがオーディオタイプであれば、オーディオフィルタを介してオーディオデータを抽出する（Ｓ３６０）。次、第１マルチメディアデバイス１３０に伝送したメディアデータのフォーマットと第２マルチメディアデバイス１３０のフォーマットとが一致するかどうかを確認する（Ｓ３７０）。一致しない場合、第２マルチメディアデバイス１３０のフォーマットへのフォーマット変換が行われる（Ｓ３８０）。
【００３５】
次、第１マルチメディアデバイス１２０の解像度と第２マルチメディアデバイス１３０の解像度とが一致するかどうかを確認する（Ｓ３９０）。一致しない場合、メディアサーバ１４０は第１マルチメディアデバイス１２０に伝送したメディアデータに対する解像度の変換が行われる（Ｓ３９５）。
【００３６】
上述した図４における第２マルチメディアデバイスの実行可能可否確認及びメディアデータ変換過程を経てからの段階に対しては、図３に基づいて説明する。
【００３７】
第２マルチメディアデバイスの実行可能可否確認及びメディアデータ変換過程を経た後（Ｓ２８５）、コントローラ１１０ａはメディアサーバ１４０から貼り付け命令受信状態を確認する（Ｓ２９７）。その後、コントローラは貼り付け命令受信状態であることを表示し（Ｓ２９９）、メディアサーバ１４０は第２マルチメディアデバイス１３０にメディアデータを伝送する（Ｓ２９０）。次、第２マルチメディアデバイス１３０は前記のメディアデータを実行する（Ｓ２９５）。
【００３８】
本発明の好適な実施形態によれば、コントローラ１１０ａは２つ以上（１１０ａ、１１０ｂ、．．．、１１０ｎ）であり得る。コントローラ１１０が２つ以上であればコントローラ毎（１１０ａ、１１０ｂ、．．．、１１０ｎ）に別途の認識記号を設定する。その結果、メディアサーバ１４０内ではコントローラ毎（１１０ａ、１１０ｂ、．．．、１１０ｎ）に伝送された命令及びそれによる処理をコントローラ認識記号を通してそれぞれ管理する。これにより、多数のコントローラ（１１０ａ、１１０ｂ、．．．、１１０ｎ）による動作が独立的に行われる。
【００３９】
本発明の他の好適な実施形態によれば、メディアサーバ１４０はコントローラ１１０ａ内部に設けられる。メディアサーバ１４０がコントローラ１１０ａ内部に移植されれば、上述した段階のうちコントローラがメディアサーバからコピー命令の処理状態を確認する段階及び貼り付け命令の処理を確認する段階は不要となる。
【００４０】
本発明のさらに他の好適な実施形態によれば、第１マルチメディアデバイス１２０と第２マルチメディアデバイス１３０にはそれぞれ検知手段１２０ａ、１３０ａが取り付けられる。ユーザが第１マルチメディアデバイス１２０から他の場所に移動すれば、第１マルチメディアデバイス１２０に取り付けられた検知手段１２０ａはユーザの不在を検知して、ユーザの不在を知らせる信号を生成しコントローラ１１０ａに伝送する。コントローラ１１０ａが前記のユーザの不在を知らせる信号を受信すれば、第１マルチメディアデバイス１２０にコピー命令を伝送する（Ｓ２０５）。
【００４１】
一方、ユーザが移動した場所に設置されている第２マルチメディアデバイス１３０に取り付けられた検知手段１３０ａはユーザの存在を検知した後、ユーザの存在を知らせる信号を生成しコントローラ１１０ａに伝送する。コントローラ１１０ａが前記のユーザの存在を知らせる信号を受信すれば、第２マルチメディアデバイス１３０に貼り付け命令を伝送する（Ｓ２７０）。
【００４２】
コントローラ１１０ａ、第１マルチメディアデバイス１２０、第２マルチメディアデバイス１３０、検知手段１２０ａ、１３０ａ、メディアサーバ１４０間の送受信過程はネットワーク環境に応じて適切な有無線通信方法を使用する。また、コントローラ１１０ａはコピー命令及び貼り付け命令を伝送することにおいて（Ｓ２０５、Ｓ２７０）、赤外線、超音波、レーザなどの手段を使用する。
【００４３】
以下、本発明の応用例を説明する。
【００４４】
図５は、本発明に係るマルチメディアコンテンツ移動方法に対する一応用例のフローチャートである。図５に基づいて、ユーザがビデオを観ている内にオーディオを聴取する場合における本発明の作動原理を説明する。まず、ユーザは部屋でメディアサーバ１４０から伝送されたメディアデータを実行するビデオデバイスを通して映画を観ている。しかし、ユーザは居間に移動して運動器具を利用しながら、居間にあるオーディオデバイスを通して映画のサウンドを引き続き聴取しようとする。ユーザはコントローラ１１０ａのコピーボタンを押し部屋のビデオデバイスを選択した後（Ｓ４１０）、居間に移動した後コントローラ１１０ａの貼り付けボタンを押しオーディオデバイスを選択する（Ｓ４２０）。メディアサーバは、上述した図３におけるメディアデータ変換過程（Ｓ２８５）を通してメディアタイプ変換可否を確認した後（Ｓ４３０）、動画データからオーディオデータを抽出する（Ｓ４４０）。抽出したオーディオデータをオーディオデバイスに伝送すれば（Ｓ４５０）、居間のオーディオデバイスでは伝送されたオーディオデータを実行し（Ｓ４６０）、その結果、ユーザが観ていた映画のサウンドが引き続き出力される。
【００４５】
この場合、ビデオデバイスとオーディオデバイスに検知手段１２０ａ、１３０ａを取り付けた場合の作動原理を説明する。ユーザが部屋を出れば、部屋に設置されたビデオデバイスの検知手段１２０ａはユーザの不在を検知してコントローラ１１０ａにコピー命令の指示信号を送信する。ユーザが居間を出れば、居間に設置されたオーディオデバイスの検知手段１３０ａはユーザの存在を検知してコントローラ１１０ａに貼り付け命令の指示信号を送信する。
【００４６】
図６は、本発明に係るマルチメディアコンテンツ移動方法に対する他の応用例のフローチャートである。図６に基づいて、ユーザがビデオを観ている内にコンピュータを使用する場合における本発明の作動原理を説明する。
【００４７】
まず、ユーザは部屋１でメディアサーバ１４０から伝送されたメディアデータを実行するビデオデバイスを介して映画を観ている。このうち、ユーザが部屋２でコンピュータを介して引き続き映画を観ようとする。このとき、ユーザはコントローラ１１０ａのコピーボタンを押し部屋１のビデオデバイスを選択した後（Ｓ５１０）、部屋２に移動してからコントローラ１１０ａの貼り付けボタンを押しコンピュータを選択する（Ｓ５２０）。メディアサーバ１４０はメディアタイプ変換可否を確認し（Ｓ５３０）、フォーマット変換段階を通してビデオフォーマット（ＭＰＥＧ２）からコンピュータモニタのフォーマット（ＭＰＥＧ４）に変換する。その後、解像度変換段階を通してビデオ解像度（１９２４×１０２４）からコンピュータモニタの解像度（１０２４×７６８）に変換される（Ｓ５４０）。変換されたメディアデータをコンピュータに伝送すれば、部屋２のコンピュータを介して実行され（Ｓ５５０）、ユーザは部屋１で観ていた映画を引き続き観ることができる。この場合、ビデオデバイスとコンピュータに検知手段を取り付けた場合における作動原理を説明する。ユーザが部屋１を出れば、部屋１に設置されたビデオデバイスの検知手段はユーザの不在を検知しコントローラ１１０ａにコピー命令の伝送を指示する（Ｓ２０５）。その後、ユーザが部屋２に入れば部屋２に設置されたコンピュータの検知手段はユーザの存在を検知しコントローラ１１０ａに貼り付け命令の伝送を指示する（Ｓ２７０）。
【００４８】
図７は、本発明に係るマルチメディアコンテンツ移動方法に対するさらに他の応用例のフローチャートである。図７に基づいて、ユーザが複数である場合における本発明の作動原理を説明する。
【００４９】
ユーザ１とユーザ２が部屋で一緒にビデオデバイスを介して映画を観ている場合、ユーザ１は自分のコントローラ１１０ａのコピーボタンを押し部屋のビデオデバイスを選択する（Ｓ６０５）。次、メディアサーバはコントローラ１１０ｂからの信号を認識し、コントローラの認識記号である‘ａ’をもって現在の実行位置を格納する（Ｓ６１０）。
【００５０】
一定の時間が経過した後、ユーザ２が自分のコントローラ１１０ｂのコピーボタンを押し部屋のビデオデバイスを選択する（Ｓ６１５）。メディアサーバはコントローラ１１０ｂからの信号を認識し、コントローラの認識記号である‘ｂ’をもって現在の実行位置を、認識記号‘ａ’をもって格納した格納位置と異なるセクタに格納する（Ｓ６２０）。
【００５１】
次、ユーザ１が居間に移動してから自分のコントローラ１１０ａの貼り付けボタンを押しオーディオデバイスを選択する（Ｓ６２５）。メディアサーバはユーザ１のコントローラ１１０ａからの貼り付け命令信号に対する認識記号を認識する。その結果、認識記号である‘ａ’に該当するセクタに格納された実行位置情報を確認した後変換された（Ｓ６３０）メディアデータを居間のオーディオデバイスに伝送する（Ｓ６３５）。居間のオーディオデバイスでは伝送されたメディアデータが実行され（Ｓ６４０）、その結果、部屋で観ていた映画のサウンドが引き続き出力される。
【００５２】
一方、ユーザ２は他の部屋に移動した後、自分のコントローラ１１０ｂの貼り付けボタンを押しコンピュータを選択する（Ｓ６４５）。メディアサーバはユーザ２のコントローラ１１０ｂからの貼り付け命令信号に対する認識記号を認識する。その結果、認識記号である‘ｂ’に該当するセクタに格納された実行位置情報を確認した後変換された（Ｓ６５０）メディアデータを前記他の部屋のコンピュータに伝送する（Ｓ６５５）。前記他の部屋のコンピュータでは伝送されたメディアデータが実行され（Ｓ６６０）、その結果、ユーザ２は部屋で観ていた映画を引き続き観ることができる。
【００５３】
本発明は上述した特定の実施形態に限定されるものではない。実際、当業者であれば、上記の説明に基づき、特許請求の範囲に記載されている本発明の技術的範囲を逸脱することなく、本発明の実施形態に対し、種々の変更及び修正を施すことが可能であろう。従って、そのような変更及び修正は当然に、本発明の技術的範囲に含まれるべきである。
【図面の簡単な説明】
【００５４】
【図１】本発明に係るマルチメディアシステムの構成を示す図である
【図２】本発明に係るマルチメディアシステムの各構成別の機能部を示す図である。
【図３】本発明に係るマルチメディアコンテンツ移動システムの動作方法を説明するためのメッセージシーケンスチャートである。
【図４】本発明に係るマルチメディアコンテンツ移動システムにおけるデバイス実行可能可否確認及びメディアデータ変換過程を示すフローチャートである。
【図５】本発明に係るマルチメディアコンテンツ移動方法に対する一応用例のフローチャートである。
【図６】本発明に係るマルチメディアコンテンツ移動方法に対する他の応用例のフローチャートである。
【図７】本発明に係るマルチメディアコンテンツ移動方法に対するさらに他の応用例のフローチャートである。
【符号の説明】
【００５５】
１１０ａ、１１０ｂ                    コントローラ
１１１                                無線送受信部
１１３                                格納装置部
１１５                                ボタン装置部
１１７                                状態表示部
１１８                                サウンド出力部
１１９                                バッテリ電源部
１２０、１２０ａ、１３０、１３０ａ    マルチメディアデバイス
１２５                                有無線送受信部
１３３                                機器制御部
１３５                                メディア情報抽出部
１４０                                メディアサーバ
１４１                                有無線送受信部
１４３                                ホーム家電制御部
１４５                                メディアデータ変換部
１４７                                メディア情報変換部
１４９                                デバイス識別記号格納部
【図１】
2006228217.tif 000003
【図２】
2006228217.tif 000004
【図３】
2006228217.tif 000005
【図４】
2006228217.tif 000006
【図５】
2006228217.tif 000007
【図６】
2006228217.tif 000008
【図７】
2006228217.tif 000009